(57)【特許請求の範囲】
【請求項１】
固定手段により床下地材に固定される下部部材に上部部材を嵌合してなる床見切であって、
前記上部部材は、前記下部部材に内嵌される嵌合部を下方に突出させて有し、  前記下部部材は、前記上部部材の嵌合部下端と当接する水平部材を有し、断面がＨ型とされて前記上部部材の嵌合部を内嵌する嵌合部を上下に備え、
前記水平部材は、前記Ｈ型の高さ方向の中心からずらされて一方の端部側に偏らせて配設され、前記下部部材の天地を逆にしてその嵌合部に上部部材の嵌合部を嵌合することによりレベルが２段階に切り替えられる
ことを特徴とする床見切。
【請求項２】
水平部材が高さ方向の中心からずれて一方の端部側に偏らせて変形Ｈ型横方向断面とされた下部部材と、逆Ｌ型横方向断面を有する上部部材とからなり、
前記下部部材の各垂直部材の水平部材に近い方の端部に、内側を向いた係止手段が設けられるとともに、前記下部部材の各垂直部材の水平部材から遠い方の端部に、外側を向いた係止手段が設けられ、
前記上部部材の水平部材の裏面中央部に、前記下部部材に内嵌する嵌合部が、一体的に、かつその先端に前記下部部材の内側を向いた係止手段と係止する係止手段が設けられて、下方に向けて突出させられて形成され、
前記上部部材の水平部材の裏面先端部が、下方に向けて突出させられるとともに、その内側に前記下部部材の外側を向いた係止手段の一方に係止する係止手段が設けられ、
前記上部部材の垂直部材の裏面に、前記下部部材の外側を向いた係止手段の他方に係止する係止手段が設けられてなる
ことを特徴とする請求項１記載の床見切。
【請求項３】
前記上部部材の水平部材の下方に向けて突出させられた裏面先端部が、フローリング押さえとされてなることを特徴とする請求項２記載の床見切。
【発明の詳細な説明】
【０００１】
【発明の属する技術分野】
本発明は床見切に関する。さらに詳しくは、レベルが２段階に切り替えられる床見切に関する。
【０００２】
【従来の技術】
従来より住宅の床にあっては、床の仕上げが変わる境界部に各仕上げ材の端部の仕舞いをなす床部材、いわゆる床見切が設けられている。例えば、床がフローリングｆからカーペットｃ貼り付けに変化する場合には、図３に示すように、床見切１´のフローリングｆに対応する面が切欠かれて、逆Ｌ字型横方向断面に形成されて、フローリングｆの端部ｆａがその切欠かれた部分に収納される。
【０００３】
しかしながら、フローリングｆとして厚みの異なる２種類のものが標準的に用いられている関係上、かかる断面形状の床見切１´を用いた場合、次のような不具合が生じている。
【０００４】
（１）切欠き部の大きさが異なる２種類の床見切１´，１´´を用意する必要があるので、部品管理が煩雑となる。
【０００５】
（２）部品管理を簡素化するために、１種類の床見切１´で対応させようとすると、現場作業が煩雑となる。すなわち、厚みの厚いフローリングｆに対応させたものを標準とすると、厚みの薄いフローリングｆに対応させようとすれば、現場において切断作業あるいは床下地材への埋込作業が必要となる（図４参照）。その逆に、厚みの薄いフローリングｆに対応させたものを標準とすると、現場においてスペーサによる調整作業が必要となる。したがって、いずれにおいても施工が煩雑となる。
【０００６】
（３）床見切１´が床下地材に接着剤などにより固着されているので、床見切１´が損傷した場合、その交換が容易になし得ない。
【０００７】
【発明が解決しようとする課題】
本発明はかかる従来技術の課題に鑑みなされたものであって、１種類で異なる厚みのフローリングに対応できる床見切を提供することを目的としている。
【０００８】
【課題を解決するための手段】
本発明の床見切は、固定手段により床下地材に固定される下部部材に上部部材を嵌合してなる床見切であって、前記上部部材は、前記下部部材に内嵌される嵌合部を下方に突出させて有し、前記下部部材は、前記上部部材の嵌合部下端と当接する水平部材を有し、断面がＨ型とされて前記上部部材の嵌合部を内嵌する嵌合部を上下に備え、前記水平部材は、前記Ｈ型の高さ方向の中心からずらされて一方の端部側に偏らせて配設され、前記下部部材の天地を逆にしてその嵌合部に上部部材の嵌合部を嵌合することによりレベルが２段階に切り替えられることを特徴とする。
【０００９】
より具体的には、本発明の床見切は、水平部材が高さ方向の中心からずれて一方の端部側に偏らせて変形Ｈ型横方向断面とされた下部部材と、逆Ｌ型横方向断面を有する上部部材とからなり、前記下部部材の各垂直部材の水平部材に近い方の端部に、内側を向いた係止手段が設けられるとともに、前記下部部材の各垂直部材の水平部材から遠い方の端部に、外側を向いた係止手段が設けられ、前記上部部材の水平部材の裏面中央部に、前記下部部材に内嵌する嵌合部が、一体的に、かつその先端に前記下部部材の内側を向いた係止手段と係止する係止手段が設けられて、下方に向けて突出させられて形成され、前記上部部材の水平部材の裏面先端部が、下方に向けて突出させられるとともに、その内側に前記下部部材の外側を向いた係止手段の一方に係止する係止手段が設けられ、前記上部部材の垂直部材の裏面に、前記下部部材の外側を向いた係止手段の他方に係止する係止手段が設けられてなることを特徴とする。
【００１０】
なお、本発明の床見切においては、前記上部部材の水平部材の下方に向けて突出させられた裏面先端部は、例えばフローリング押さえとされる。
【００１１】
【作用】
本発明の床見切は前記のごとく構成されているので、下部部材の天地を逆にするだけで、床見切のレベルが切り替えられ、それにより２種類の厚みのフローリングに対応できる。そのため、フローリングの厚みに関係なく床見切を１種類とできる。また、床下地材に固定されている下部部材に上部部材を嵌合させるだけで床見切の施工がなしえるので、床見切の施工に要する期間が著しく短縮されるとともに、その養生も簡易になし得る。さらに、嵌合式とされるとともに部品が共通化されているので、上部部材が使用中に破損しても簡単に補修することができる。
【００１２】
【発明の実施の形態】
以下、添付図面を参照しながら本発明を実施の態様に基づいて説明するが、本発明はかかる実施の形態のみに限定されるものではない。
【００１３】
本発明の床見切の一実施の形態を図１および図２に示し、同床見切１はネジなどの固定手段により床下地材に固定される下部部材２と、この下部部材２に上方から嵌合される上部部材３とを主要構成要素としてなる。
【００１４】
下部部材２は、例えば弾力性を有する合成樹脂とされ、図１および図２に示すように変形Ｈ型横方向断面を有している。すなわち、Ｈ型の水平部を構成している水平部材２１が、中心から外れた位置に設けられた形状とされている。また、Ｈ型の垂直部を構成している垂直部材２２の端部２２ａ，２２ｂには、後述する上部部材３に設けられている嵌合部と嵌合されたときに係止するための係止爪２３，２４が設けられている。この係止爪２３，２４は、水平部材２１に近い方の端部２２ａのもの２３は内側に設けられ、その逆に水平部材２１から遠い方の端部２２ｂのもの２４は外側に設けられている。以下、外側に設けられている係止爪２４，２４を第１係止爪群といい、内側に設けられている係止爪２３，２３を第２係止爪群という。なお、図１および図２には明瞭には示されていないが、水平部材２１にはねじ挿通用透孔２５が、その長手方向に適宜間隔で設けられている。
【００１５】
上部部材３は、例えば弾力性を有する合成樹脂とされ、図１および図２に示すように、変形逆Ｌ型横方向断面を有している。この逆Ｌ型の水平部材３１の裏面中央部３１ａには、前記下部部材２に内嵌するＨ型横方向断面の嵌合部３２が、下方に突出させて一体的に形成されている。この嵌合部３２の下端３２ａには、前記第２係止爪群と係止される係止爪３３，３３（第４係止爪群）が形成されている。また、このＬ型の水平部材３１の裏面先端部３１ｂは、下方に突出されてフローリング６（８）端部を押さえるフローリング押さえ３４とされている。このフローリング押さえ３４の内側先端部３４ａには、前記第１係止爪群の一方に係止する係止爪３５が形成されている。さらに、この係止爪３５に対応させてＬ型の垂直部材３６内側の前記係止爪３５に対応する位置にも係止爪３７が形成されている。これらの係止爪３５，３７により第１係止爪群に係止する第３係止爪群が形成される。
【００１６】
ここで、第１係止爪群と第３係止爪群とは、係止はしやすいが離脱がしにくい形態とされている。具体的には、図１に示すように、第１係止爪群がやじり形状とされ、第３係止爪群が前記やじり形状とは逆形状とされ、第３係止爪群を上方から押し込むことにより、第３係止爪群が第１係止爪群に弾発的に係止される。また、第２係止爪群と第４係止爪群とも同様の形態とされている（図２参照）。
【００１７】
以下、かかる構成とされている床見切１を用いた床施工について説明する。
【００１８】
（１）厚みが薄いフローリング６が施工される場合（図１参照）
【００１９】
▲１▼下部部材２を第１係止爪群を上方にして、床下地材の所定位置にねじＳ等により固定する。
【００２０】
▲２▼フローリング６の端面６ａを下部部材２の一方の側面に当接させた状態で、フローリング６を床下地材の上に施工する。
【００２１】
▲３▼フローリング押さえ３４をフローリング６側に向けた状態で、上部部材３を下部部材２に嵌合させ、第１係止爪群と第３係止爪群とを係止させる。ここで、下部部材２の高さ寸法ならびに上部部材３のフローリング押さえ３４の突出寸法および逆Ｌ型の垂直部材３６の寸法は、フローリング押さえ３４がフローリング６の上面６ｂを押さえることができ、しかも逆Ｌ型の垂直部材３６の下端３６ａが床下地材と干渉することがないように調整されている。
【００２２】
▲４▼上部部材３の逆Ｌ型の垂直部材３６に異なる材質の床材（図示の例ではクッションフロアを捨て貼り合板の上に貼ったもの）７の端面７ａを当接させる。
【００２３】
これにより床見切１の施工が完了する。
【００２４】
（２）厚みが厚いフローリング８が施工される場合（図２参照）
【００２５】
▲１▼下部部材２を第２係止爪群を上方にして、すなわち、（１）とは天地を逆にして床下地材の所定位置にねじＳ等により固定する。
【００２６】
▲２▼フローリング８の端面８ａを下部部材２の一方の側面に当接させた状態で、フローリング８を床下地材の上に施工する。
【００２７】
▲３▼下部部材２を挾んでフローリング８と反対側の床下地材の上にクッションフロア９を施工する。
【００２８】
▲４▼フローリング押さえ３４をフローリング８側に向けた状態で、上部部材３を下部部材２に嵌合させ、第２係止爪群と第４係止爪群とを係止させる。
【００２９】
これにより、床見切１Ａの施工が完了する。なお、クッションフロア９に代えて、（１）の場合と同様に、クッションフロアを捨て貼り合板の上に貼ったもの７とすることもできる。
【００３０】
このように、本発明の床見切によれば、２種類の厚みのフローリングの施工を１種類の床見切で対応できる。
【００３１】
【発明の効果】
以上詳述したように、本発明の床見切によれば、下部部材の天地を逆にするだけで床見切のレベルが切り替えられて、２種類の厚みのフローリングに対応できる。したがって、フローリングの厚みに関係なく床見切を１種類とでき、部品管理が簡素化されるとともに、作業性が向上するという優れた効果が得られる。また、床下地材に固定されている下部部材に上部部材を嵌合させるだけで床見切の施工がなし得るので、床見切の施工に要する期間が著しく短縮されるとともに、その養生も簡易になし得るという効果も得られる。さらに、嵌合式とされるとともに部品が共通化されているので、上部部材が使用中に破損しても簡単に補修することができるという効果も得られる。
【図面の簡単な説明】
【図１】本発明の一実施の形態にかかわる床見切の横方向断面図であって、厚みの薄いフローリングに適用される場合を示す。
【図２】同断面図であって、厚みの厚いフローリングに適用される場合を示す。
【図３】従来の床見切の横方向断面図である。
【図４】従来の床見切の施工上の問題点を示す説明図である。
【符号の説明】
１          床見切
２          下部部材
２１        水平部材
２２        垂直部材
３          上部部材
３１        水平部材
３２        嵌合部
３６        垂直部材
６，８      フローリング
７          クッションフロアを捨て貼り合板の上に貼ったもの
９          クッションフロア
Ｓ          ねじ
【図１】
0003674097.tif 000002
【図２】
0003674097.tif 000003
【図３】
0003674097.tif 000004
【図４】
0003674097.tif 000005